(57)【要約】【課題】幼児による誤飲を抑止することができる薬剤用包装体および薬剤用包装体の製造方法を提供する。【解決手段】薬剤用包装体１０は、一方の側部２２ａに、開封のための脆弱部２３を有する第１の袋体２０と、第１の袋体２０の底部に配置され、薬剤であるカプセルＣが収容される第２の袋体３０とを備えている。第１の袋体２０は、脆弱部２３から他方の側部２２ｂに向う第１の方向Ｆ１に破断された後に、第１の方向Ｆ１と交差する第２の方向Ｆ２への破断により開封される。そして、第２の袋体３０は、第２の方向Ｆ２からの破断により開封される。薬剤用包装体１０は、第１の袋体２０を開封しても、カプセルＣは第２の袋体３０に収納されているため、カプセルＣを取り出すことができないため、開封方法を知らない幼児は、薬剤用包装体１０を簡単には開封できない。【選択図】図１
2017196280.tif 000002
【特許請求の範囲】
【請求項１】
一方の側部に、開封のための脆弱部を有する第１の袋体と、
前記第１の袋体の底部に配置され、薬剤が収容される第２の袋体とを備え、
前記第１の袋体は、前記脆弱部から他方の側部に向う第１の方向に破断された後に、前記第１の方向と交差する第２の方向への破断により開封され、
前記第２の袋体は、前記第２の方向からの破断により開封される薬剤用包装体。
【請求項２】
前記第２の袋体は、破断側の端辺に脆弱部が形成された請求項１記載の薬剤用包装体。
【請求項３】
前記脆弱部は、破断側の端辺の一部に形成された請求項２記載の薬剤用包装体。
【請求項４】
前記第２の袋体は、前記第１の袋体と別体として、前記第１の袋体の内部に配置された請求項１から３のいずれかの項に記載の薬剤用包装体。
【請求項５】
前記第２の袋体は、前記第２の袋体の底辺が前記第１の袋体の底辺と連続的に接続され、前記第１の袋体の内部に重ねあわせた状態で配置された請求項１から３のいずれかの項に記載の薬剤用包装体。
【請求項６】
第１の袋体および前記第１の袋体の内部に収納され、薬剤が収容される第２の袋体となる一枚の帯状の包装体用フィルムを準備する工程と、
前記一枚の帯状の包装体用フィルムの一方の端部を折り返して重ね合わせることで薬剤を収納した前記第２の袋体を形成する工程と、
前記第２の袋体を他方側に折り返す工程と、
前記帯状の包装体用フィルムの他方の端部を前記第２の袋体に重ねように折り返して前記第１の袋体を形成する工程とを含む薬剤用包装体の製造方法。
【発明の詳細な説明】
【技術分野】
【０００１】
本発明は、薬剤が収納される薬剤用包装体および薬剤用包装体の製造方法に関するものである。
【背景技術】
【０００２】
薬剤が収納された薬剤用包装体は、開封が容易であると、幼児が開封して薬剤を誤飲するおそれがある。薬剤の誤飲を防止する従来の薬剤用包装体として、特許文献１に記載されたものが知られている。
【０００３】
特許文献１に記載の「包装袋」は、袋の周縁シール部の端縁部に開封用のノッチが設けられ、このノッチが露出しないように覆うテープを剥離可能に貼着してなるものである。
この特許文献１に記載の「包装袋」では、単に開封用のノッチを見えなくしただけであるため、幼児がテープに興味を持ち、テープを剥がしてしまうと、開封用のノッチが露出してしまうため、ノッチから開封してしまうおそれがある。
そこで、薬剤用包装体ではないが、袋体を一方向に裂いただけでは内部の物品が取り出せないようにしたものが、特許文献２として知られている。
【０００４】
特許文献２に記載の「包装袋」は、包装袋のシール部に包装袋を引き裂くためのノッチを設け、引き裂く部分にはミシン目を入れてガイドとして直線状に引き裂く様にし、引き裂いた先に引き裂き停止線を設けて引き裂きを止め、次に引き裂き停止線を新たなノッチとして用いて包装袋の収容部に引き裂くことにより開口部が形成され、物品を取り出すようにしたものである。
【先行技術文献】
【特許文献】
【０００５】
【特許文献１】特開２００８−２６５８３２号公報
【特許文献２】特開２０１２−１９２９７３号公報
【発明の概要】
【発明が解決しようとする課題】
【０００６】
しかし、特許文献２に記載の包装袋は、横方向から縦方向に開封して、物品を収納する空間である収容部まで至ると、内部の物品が取り出せてしまう。また、特許文献２に記載の包装袋では、敢えて引き裂き停止線に向かって横方向へ開封しなくても、ノッチからまっすぐ収納部まで頭部ヒートシール部を裂いてしまえば、一直線に商品が収納された収容部まで至ってしまう。
従って、特許文献２に記載の包装袋では、薬剤を収容したときに、誤飲の問題を解決できないおそれがある。幼児は様々なところに興味を持ち、開封を試みるため、薬剤を収納する包装体は、十分な配慮が必要である。
【０００７】
そこで本発明は、幼児による誤飲を抑止することができる薬剤用包装体および薬剤用包装体の製造方法を提供することを目的とする。
【課題を解決するための手段】
【０００８】
本発明の薬剤用包装体は、一方の側部に、開封のための脆弱部を有する第１の袋体と、前記第１の袋体の底部に配置され、薬剤が収容される第２の袋体とを備え、前記第１の袋体は、前記脆弱部から他方の側部に向う第１の方向に破断された後に、前記第１の方向と交差する第２の方向への破断により開封され、前記第２の袋体は、前記第２の方向からの破断により開封されることを特徴とする。
【０００９】
本発明の薬剤用包装体によれば、第１の袋体を脆弱部から開封しても、薬剤は第２の袋体に収納されているため、薬剤を取り出すことができない。また、薬剤を第２の袋体から取り出すには、第１の袋体を第１の方向に破断させた後に、第２の方向に破断させ、第２の袋体を開封する必要があるため、２段階の開封操作が必要である。従って、開封する手順を１段階より複雑とすることで、開封方法を知らない幼児は、本発明の薬剤用包装体を簡単には開封できない。
【００１０】
前記第２の袋体の破断側の端辺に脆弱部が形成されていると、第２の方向に沿って第１の袋体を破断したときに、スムーズに第２の袋体を破断させることができる。
【００１１】
前記脆弱部を、破断側の端辺の一部に形成することができる。脆弱部を外れて破断させようとすると、第２の袋体が開封し難くい。従って、第１の方向から第２の方向へと破断方向を変更することを幼児が知っていても、第２の袋体の脆弱部の位置が分かっていないと開封できないようにすることができる。
【００１２】
前記第２の袋体を、前記第１の袋体と別体として、前記第１の袋体の内部に配置することができる。第２の袋体を第１の袋体により隠すことができるため、開封方法を想像付き難くすることができる。
【００１３】
前記第２の袋体を、前記第２の袋体の底辺が前記第１の袋体の底辺と連続的に接続され、前記第１の袋体の内部に重ねあわせた状態で配置することできる。そうすることで、第１の袋体と第２の袋体とが連続した状態で一緒に製造することができるため、製造を容易とすることができる。
【００１４】
本発明の薬剤用包装体の製造方法は、第１の袋体および前記第１の袋体の内部に収納され、薬剤が収容される第２の袋体となる一枚の帯状の包装体用フィルムを準備する工程と、前記一枚の帯状の包装体用フィルムの一方の端部を折り返して重ね合わせることで薬剤を収納した前記第２の袋体を形成する工程と、前記第２の袋体を他方側に折り返す工程と、前記帯状の包装体用フィルムの他方の端部を前記第２の袋体に重ねように折り返して前記第１の袋体を形成する工程とを含むことを特徴とする。
【００１５】
本発明の薬剤用包装体の製造方法によれば、一枚の帯状の包装体用フィルムを順次折り返し重ねていくことで、第２の袋体および第１の袋体を形成することができるため、製造を容易とすることができる。
【発明の効果】
【００１６】
本発明の薬剤用包装体によれば、開封する手順を複雑とすることで、開封方法を知らない幼児に対して、第１の袋体を開封しただけで、第２の袋体に収納された薬剤を取り出すことができないので、第１の袋体を開封しただけ諦めさせることができる。従って、本発明の薬剤用包装体は、幼児による誤飲を抑止することができる。
【図面の簡単な説明】
【００１７】
【図１】本発明の実施の形態１に係る薬剤用包装体を示す正面図である。
【図２】図１に示す薬剤用包装体の第２の袋体の正面図である。
【図３】図１に示す薬剤用包装体を開封する操作を説明するための図であり、（Ａ））は第１の袋体を第１の方向に破断する状態を示す斜視図、（Ｂ）は第１の袋体を第１の方向から第２の方向に破断する状態を示す斜視図である。
【図４】本発明の実施の形態２に係る薬剤用包装体を示す正面図である。
【図５】（Ａ）から（Ｅ）は図４に示す薬剤用包装体の製造方法を説明するための図である。
【図６】本発明の実施の形態３に係る薬剤用包装体を示す正面図である。
【発明を実施するための形態】
【００１８】
（実施の形態１）
本発明の実施の形態１に係る薬剤用包装体について、図面に基づいて説明する。なお、本実施の形態１では、薬剤用包装体の開封側を上、その反対側を下として説明する。
図１に示す薬剤用包装体１０は、幼児による誤飲を防止することができるものである。
【００１９】
薬剤用包装体１０は、第１の袋体２０と、第２の袋体３０とを備えている。第１の袋体２０と、第２の袋体３０とは合成樹脂製のフィルムから形成されている。市販される飴などを収容する包装用フィルムは、シールができ、破断の契機となる脆弱部が形成されていれば、その位置からの破断が容易であり、裂けてしまった部分からの破断は容易ではないため、薬剤用包装体１０を形成するためのフィルムとして好ましい。例えば、薬剤用包装体１０は、易裂性ラミネートフィルムから形成することができる。
【００２０】
第１の袋体２０は、矩形状の袋である。第１の袋体２０は、周縁部２１全体がシールされていることで密閉されている。第１の袋体２０は、上部の一方の側部２２ａに、開封のための脆弱部２３を有する。本実施の形態１では、脆弱部２３を切り欠きとしている。
【００２１】
第２の袋体３０は、第１の袋体２０と別体として、第１の袋体２０の内部の空間である収容部２４の底部に配置されている。図２に示すように、第２の袋体３０は、第１の袋体２０より小型に形成された矩形状の袋である。第２の袋体３０は、カプセルＣが収納されている。第２の袋体３０は、周縁部３１全体がシールされていることで密閉されている。
第２の袋体３０は、上端辺となる破断側の端辺３２ａに、三角形状の切り欠きが連続的に形成された脆弱部３３を有している。本実施の形態１では、第２の袋体３０の脆弱部３３は、端辺３２ａ全体に形成されている。
第２の袋体３０は、破断側の端辺３２ａを除く、三方の端辺３２ｂ〜３２ｄが、図１に示す第１の袋体２０の周縁部２１と一緒にシールされることで、第１の袋体２０の内部に固定されている。
【００２２】
以上のように構成された本発明の実施の形態１に係る薬剤用包装体１０の使用状態を図面に基づいて説明する。
まず、薬剤の服用者は、図３（Ａ）に示すように、第１の袋体２０の一方の側部２２ａに形成された脆弱部２３より上の上部２２ｃの周縁部２１を持ち、第１の方向Ｆ１へ移動させることで、脆弱部２３から第１の方向Ｆ１に沿って、非シール部分である第１の袋体２０の上部２２ｃを破断させる。
これにより、第１の袋体２０は簡単に開封できるが、図１に示すように、カプセルＣは第２の袋体３０に収納されているため、カプセルＣは、まだ取り出すことができない状態である。
【００２３】
一方の側部２２ａから他方の側部２２ｂまで、第１の方向Ｆ１に沿って破断させ、第１の袋体２０の上部２２ｃを取ってしまうと、第１の袋体２０を形成する２枚のフィルムが密着していない状態の破断部分から２枚のフィルムを、例え押し付け密着させた状態にしても更に第２の方向Ｆ２へ破断させることは難しい。
そこで、服用者は、第１の方向Ｆ１に沿って破断させ、第１の袋体２０の上部２２ｃを取ってしまう前の任意の位置で破断操作を停止し、薬剤用包装体１０を持つ左右の手を図３（Ｂ）に示すように持ち替える。そして、第１の方向Ｆ１と交差する第２の方向Ｆ２に向かって第１の袋体２０を破断させる。例えば、薬剤用包装体１０では、左側から右側へ向かって水平方向に破断させる途中の中央部にて下方へ向かって破断させる。
破断によって途中まで切り離された上部２２ｃが繋がった部分からであれば、その両側をそれぞれ両手で摘まんで捻れば、２枚のフィルムが非シール状態であっても簡単に破断の方向を変更することができる。
この破断操作により、破断方向が第２の袋体３０への方向と変わる。
【００２４】
第２の方向Ｆ２に沿って破断が進むことで、破断が第２の袋体３０に到達する。第２の袋体３０では、破断側の端辺３２ａに脆弱部３３が形成されているため、破断が第２の袋体３０にまで達すれば、端辺３２ａから第２の袋体３０を簡単に破断させることができ、開封することができる。
【００２５】
服用者は、第２の袋体３０を開封することで、第２の袋体３０内のカプセルＣを取り出すことができる。
【００２６】
このように本実施の形態１に係る薬剤用包装体１０は、第１の袋体２０を脆弱部２３から開封しても、薬剤であるカプセルＣは第２の袋体３０に収納されているため、カプセルＣを取り出すことができない。また、カプセルＣを第２の袋体３０から取り出すには、第１の袋体２０を第１の方向Ｆ１に破断させた後に、第２の方向Ｆ２に破断させ、第２の袋体３０を開封する必要があるため、２段階の開封操作が必要である。従って、開封する手順を１段階より複雑とすることで、開封方法を知らない幼児は薬剤用包装体１０を簡単に開封できないため、誤飲を防止することができる。
【００２７】
また、第２の方向Ｆ２に沿って第１の袋体２０を破断したときに、第２の袋体３０に脆弱部３３が形成されているため、スムーズに第２の袋体３０を破断させることができる。
また、第２の袋体３０は、第１の袋体２０の内部に配置されているため、第２の袋体３０を第１の袋体２０により隠すことができる。従って、薬剤用包装体１０の開封方法を想像付き難くすることができるため、幼児の誤飲を、より確実に防止することができる。
【００２８】
図１および図２に示す薬剤用包装体１０では収納された薬剤が、１錠のカプセルＣであったが、薬剤は、カプセルが複数錠でも、粉末状の薬剤でもよい。
また、第１の包体２０の脆弱部２３と、第２の包装体３０の脆弱部３３とを、切り欠きとしていたが、シールされた周縁部２１，３１に無数の小さな孔を開けて、例えば、旭化成パックス社のマジックカット（登録商標）のようにして、脆弱部を形成するようにしてもよい。
【００２９】
本実施の形態１では、第１の方向Ｆ１と第２の方向Ｆ２とのなす角度が直角で、破断方向が直交しているが、第２の袋体３０に破断が到達すれば第２の袋体３０を開封することができるため、第１の方向に対して第２の方向が傾斜した状態、すなわち、第２の方向が第１の方向と交差する方向であってもよい。
【００３０】
（実施の形態２）
本発明の実施の形態２に係る薬剤用包装体を図面に基づいて説明する。なお、図４および図５においては、図１および図２と同じ構成のものは同符号を付して説明を省略する。
図４に示すように、本実施の形態２に係る薬剤用包装体１１は、第２の袋体３０の底辺３４（端辺３２ｄ）が第１の袋体２０の底辺２５ａと連続的に接続されている。そして、第２の袋体３０は、第１の袋体２０の内部に重ねあわせた状態で配置されている。
【００３１】
このように形成された薬剤用包装体１１は、次のようにして製造することができる。まず、一枚の帯状の包装体用フィルムを準備する（図５（Ａ）参照）。
次に、一枚の帯状の包装体用フィルム４０の一方の端部４１にカプセルＣを配置して、折り返して重ね合わせ、第２の袋体３０の破断側の端辺３２ａとなる位置と、第２の袋体３０の底辺３４となる位置とをシールすることで、薬剤を収納した第２の袋体３０を形成する（図５（Ｂ）参照）。
このとき、第２の袋体３０の破断側の端辺３２ａとなる位置を切り欠いて脆弱部３３とすると共に、第１の袋体２０の脆弱部２３となる位置を切り欠く（図５（Ｃ）参照）。
次に、第２の袋体３０を他方側に折り返す（図５（Ｄ）参照）。
そして、帯状の包装体用フィルム４０の他方の端部４２を第２の袋体３０に重ねるように折り返し、周囲をシールして第１の袋体２０を形成する（図５（Ｅ）参照）。
このようにして、第２の袋体３０が第１の袋体２０の底部に配置された薬剤用包装体１１が完成する。
【００３２】
以上のように本実施の形態２に係る薬剤用包装体１１は、第２の袋体３０の底辺３４が第１の袋体２０の底辺２５ａと連続的に接続され、第１の袋体２０の内部に重ね合わせた状態で配置されているため、第１の袋体２０と第２の袋体３０とを一緒に製造することができるため、製造が容易である。また、第２の袋体３０が第１の袋体２０に隠れているため、幼児から第２の袋体３０を視認することができないので、幼児に第１の袋体２０を開封しただけで諦めさせることができる。
【００３３】
このように薬剤用包装体１１が形成されていても、第１の袋体２０が、脆弱部２３から他方の側部２２ｂに向う第１の方向Ｆ１に破断された後に、第２の方向Ｆ２に破断されて開封され、第２の袋体３０は、第２の方向Ｆ２からの破断により開封されるため、実施の形態１に係る薬剤用包装体１０（図１参照）と同様の作用効果を得ることができる。
【００３４】
（実施の形態３）
本発明の実施の形態３に係る薬剤用包装体について、図面に基づいて説明する。なお、図６においては、図１と同じ構成のものは同符号を付して説明を省略する。
図６に示す本実施の形態３に係る薬剤用包装体１２は、図１に示す薬剤用包装体１０の変形例であり、第２の袋体３０ａの脆弱部３３が、上端辺となる破断側の端辺３２ａの一部に形成されている。
【００３５】
本実施の形態３では、脆弱部３３は、端辺３２ａの中央部より他方へ寄った位置から形成されている。そうすることで、服用者がカプセルＣを取り出すときには、まず、服用者は、第１の方向Ｆ２から第２の方向Ｆ２に破断方向を変えたときに脆弱部３３が位置するまで、第１の袋体２０の脆弱部２３から第１の方向Ｆ１に沿って第１の袋体２０を破断する。次に、服用者は、第２の方向Ｆ２に破断方向を変えて、第２の袋体３０ａへ破断を進める。そして、破断が、第２の袋体３０ａの脆弱部３３に進むことで、脆弱部３３が端辺３２ａの一部しか形成されていない第２の袋体３０ａを開封することができる。
【００３６】
このように、第２の袋体３０ａの脆弱部３３が、破断側の一部にしか形成されていないため、脆弱部３３を外れて破断させようとすると、第２の袋体３０ａは開封し難くい状態である。従って、第１の方向Ｆ１から第２の方向Ｆ２へと破断方向を変更することを幼児が知っていても、第２の袋体３０ａの脆弱部３３の位置が分かっていないと開封させることができない。そのため、幼児が開封方法を知っていれば容易に開封できるが、知らなければ開封の難度が増すため、薬剤用包装体１２は、偶然に開封してしまうことを防止することができる。
【００３７】
なお、本実施の形態３では、第２の袋体３０ａの脆弱部３３が、第１の袋体２０の脆弱部２３から反対側の端部に寄って、端辺３２ａの約１／４程度形成されていたが、１／２程度とすることも可能である。
また、第２の袋体３０ａの脆弱部３３を、第１の袋体２０の脆弱部２３側に寄せたり、中央部のみに形成したりすることも可能である。
【００３８】
このとき、服用者には、脆弱部３３の位置を案内するために、第１の袋体２０に、案内文が表記されていてもよい。例えば、端辺３２ａの約１／４程度、脆弱部３３が形成されている場合には「横に３／４以上切ってから縦に切ってください」とか、端辺３２ａの約１／２程度、脆弱部３３が形成されている場合には「横に１／２以上切ってから縦に切ってください」とか表記する。そうすることで、服用者は開封の方法を知ることができる。
【００３９】
本実施の形態３に係る薬剤用包装体１２を、実施の形態１に係る薬剤用包装体１０の変形例として説明したが、実施の形態２に係る薬剤用包装体１１を元に、第２の袋体３０ａの脆弱部３３を、上端辺となる破断側の端辺３２ａの一部に形成してもよい。
【産業上の利用可能性】
【００４０】
本発明の薬剤用包装体および薬剤用包装体の製造方法は、幼児の誤飲を防止することができるため、市販される薬剤だけでなく、調剤薬局にて処方される薬剤にも用いることができる。
【符号の説明】
【００４１】
１０，１１，１２  薬剤用包装体
２０  第１の袋体
２１  周縁部
２２ａ  一方の側部
２２ｂ  他方の側部
２２ｃ  上部
２３  脆弱部
２４  収容部
２５ａ  底辺
２５ｂ  上端
３０，３０ａ  第２の袋体
３１  周縁部
３２ａ，３２ｂ〜３２ｄ  端辺
３３  脆弱部
３４  底辺
４０  包装体用フィルム
４１  一方の端部
Ｆ１  第１の方向
Ｆ２  第２の方向
Ｃ  カプセル
【図１】
2017196280.tif 000003
【図２】
2017196280.tif 000004
【図３】
2017196280.tif 000005
【図４】
2017196280.tif 000006
【図５】
2017196280.tif 000007
【図６】
2017196280.tif 000008